(57)【要約】【課題】耳式体温計の測定精度を向上させる。【解決手段】プローブ２７の先端面２７Ａが外耳道５の第１カーブ１１Ａの奥にある第２カーブ１１Ｂから突出する位置まで挿された状態にあることを距離検出部３０によって検出するようにしたことにより、プローブ２７の先端面２７Ａが鼓膜３に正対した状態で赤外線検温処理できる確率を向上させることができ、その結果高い精度で体温を測定できる耳式体温計２１を実現できる。【選択図】図４
2011072639.tif 000002
【特許請求の範囲】
【請求項１】
筐体から突出するプローブを被験者の耳孔から外耳道に挿入して、上記外耳道ないし鼓膜から放出される赤外線を上記プローブの先端面から受光することにより、上記鼓膜の温度を測定体温として測定する耳式体温計であって、
上記筐体内に設けられ、距離測定光を上記プローブの光端面から上記外耳道ないし上記鼓膜に投射すると共に、上記距離測定光が上記外耳道ないし上記鼓膜において反射して戻って来る距離測定反射光を上記プローブの先端面から受光して当該先端面から上記外耳道ないし上記鼓膜までの距離を測定する距離測定部
を具え、上記距離測定部の測定結果に基いて赤外線検温処理を実行する
ことを特徴とする耳式体温計。
【請求項２】
上記筐体内に設けられ、上記プローブの先端面から受光された上記外耳道ないし上記鼓膜から放出される赤外線を受光して検温情報を得る赤外線検温部と、
上記距離測定部の測定結果と上記赤外線検温部の検温情報とに基づいて体温測定出力を得る体温情報演算手段と、
上記プローブの挿入状態について最適条件が成立したか否かをユーザに通知する最適条件成立通知部と
を具え、上記体温情報演算手段は、上記距離測定部の測定結果が上記所定のしきい値より小さいとき、上記最適条件成立通知部によってユーザに対して上記最適条件が成立しないことを通知することによってユーザが上記プローブの挿入一を調整すべきことを通知し、その結果上記距離測定部の距離測定結果が上記所定のしきい値より大きくなったとき上記赤外線検出部を検温動作させる
ことを特徴とする請求項１に記載の耳式体温計。
【請求項３】
上記筐体内に設けられ、上記プローブの先端面から受光された上記外耳道ないし上記鼓膜から放出される赤外線を受光して検温情報を得る赤外線検温部と、
上記距離測定部の測定結果と上記赤外線検温部の検温情報とに基づいて体温測定出力を得る体温情報演算手段と、
上記プローブの挿入状態について最適条件が成立したか否かをユーザに通知する最適条件成立通知部と
を具え、上記体温情報演算手段は、上記距離測定部が距離測定動作をするごとに、上記最適条件整列通知部によって上記ユーザに対して上記最適条件が成立したこと又は上記最適条件が成立しなかったことを通知すると共に上記赤外線検温部により検温動作させ、続いてユーザが当該通知によって上記プローブの挿入位置を調整した後の状態について上記距離測定部を距離測定動作させ、
その後当該最適条件成立通知部のユーザへの通知、ユーザのプローブの挿入位置の調整後の上記赤外線検温部による検温動作及びユーザによる挿入位置調整後の上記距離測定部による距離測定動作を繰り返すことにより、上記距離測定動作ごとに上記赤外線検温部による検温結果を蓄積し、
当該蓄積結果のうち、上記距離測定部の距離測定結果が所定のしきい値より大きい上記赤外線測温部による上記検温結果に基づいて測定体温を求める
ことを特徴とする請求項１に記載の耳式体温計。
【発明の詳細な説明】
【技術分野】
【０００１】
本発明は、耳式体温計に関し、特に体温の測定精度を向上させようとするものである。
【背景技術】
【０００２】
この種の耳式体温計として、プローブの外部に設けた照明用発光ダイオードから外耳道内に照明光を照射して、その映像をファインダ窓に映しながら、鼓膜にプローブを正対させる操作をした後、鼓膜から放射される赤外線の受光量に基づいて体温を測定するものが提案されている（特許文献１参照）。
【先行技術文献】
【特許文献】
【０００３】
【特許文献１】特許第２６３１２５号公報
【非特許文献１】入来正弼著・体温生理学テキスト・文光堂２００３
【発明の概要】
【発明が解決しようとする課題】
【０００４】
しかしながら、この従来の耳式体温計は、耳孔に対するプローブの挿入状態を確認するために、検温をするごとに、鼓膜の映像をファインダ窓において目視確認するための面倒な操作が必要になる問題がある。
【０００５】
本発明は以上の点を考慮してなされたもので、できる限り面倒な検温操作を必要とない簡便な耳式体温計を提案しようとするものである。
【課題を解決するための手段】
【０００６】
かかる課題を解決するため本発明においては、筐体２６から突出するプローブ２７を被験者２８の耳孔１０から外耳道５に挿入して、外耳道５ないし鼓膜３から放出される赤外線Ｌ３をプローブ２７の先端面２７Ａから受光することにより、鼓膜３の温度を測定体温として測定する耳式体温計２１であって、筐体２６内に設けられ、距離測定光Ｌ１をプローブ２７の光端面２７Ａから外耳道５ないし鼓膜３に投射すると共に、距離測定光Ｌ１が外耳道５ないし鼓膜３において反射して戻って来る距離測定反射光Ｌ２をプローブ２７の先端面２７Ａから受光して当該先端面２７Ａから外耳道５ないし鼓膜３までの距離を測定する距離測定部３０を具え、距離測定部３０の測定結果に基いて赤外線検温処理を実行する。
【発明の効果】
【０００７】
本発明によれば、プローブの先端面が外耳道の第１カーブの奥にある第２カーブから突出する位置まで挿された状態にあることを距離検出部によって検出するようにしたことにより、プローブの先端面が鼓膜に正対した状態で赤外線検温処理できる確率を向上させることができ、その結果高い精度で体温を測定できる耳式体温計を実現できる。
【図面の簡単な説明】
【０００８】
【図１】人体の温度分布の説明に供する略線図である。
【図２】耳内温度分布の説明に供する略線図である。
【図３】耳モデルを示す正面図、平面図及び底面図である。
【図４】本発明の一実施の形態による耳式体温計を示す略線的構造図である。
【図５】図４の検温情報処理部２９の詳細構成を示すブロック図である。
【図６】図５のＣＰＵ４５が実行する検温情報処理手順を示すフローチャートである。
【図７】第２の実施の形態による検温情報処理部を示すブロック図である。
【図８】図７のＣＰＵ４５が実行する検温情報処理手順を示すフローチャートである。
【発明を実施するための形態】
【０００９】
以下図面について、本発明の一実施の形態を詳述する。
【００１０】
（１）基本構成
図１に示すように、人体１の体温は深部２の温度を指称するが、当該深部２の温度は外気温の影響を受けて、例えば室温が３５〔°Ｃ〕の場合と比較して、室温が２０〔°Ｃ〕にまで低下すると、自然放熱のために、人体１の本来の体温を維持する深部２となる部位が頭脳ないし胴体の中心部分に縮減することが知られており、従っていかなる外気温の下でも常に適正な体温を測定することは難しい。
【００１１】
この点について、耳内の温度分布を測定したところ、図２に示すように、内頚動脈が流れている鼓膜３の温度が深部２と同じ３７〔°Ｃ〕を示したのに対して、外耳道５のうち鼓膜３近傍の内側の部位５Ａから中間の部位５Ｂを通って外側の部位５Ｃに至るまでの各部位の温度が、３６．９〔°Ｃ〕、３６．８〔°Ｃ〕、３６．２〔°Ｃ〕のように低下していることが確認できた。
【００１２】
この外耳道の部位には外頚動脈が流れているが、放熱の影響により温度が低下して行き、外耳道５から頭皮７の位置を通って動脈が流れていない耳介８及び耳たぶ９においては、来ると放熱により３２．５〔°Ｃ〕程度にまで極端に低下する。
【００１３】
この関係を利用して耳式体温計は、耳介８及び耳たぶ９の位置から外耳道５の耳孔１０に対して中空な円筒状のプローブを挿入することにより、鼓膜３から放出される赤外線を耳孔１０の外部に導出してその温度を検出することにより、人体１の深部２の温度をもつ鼓膜３の温度を用いて、体温を測定するように構成されている。
【００１４】
ところが実際上人の外耳道５の形状は、図３に耳モデル１２によって示すように、耳介８及び耳たぶ９側から耳孔１０を見た方向を基準として、外側の部位５Ｃが水平方向に真っすぐ内方に向かうように形成されているのに対して、中心の部位３Ｂの位置において一端左側方向に曲がった後（この曲がりを第１カーブ１１Ａと呼ぶ）、当該第１カーブ１１Ａの奥部分が中央に向う方向に曲がり（これを第２カーブ１１Ｂと呼ぶ）、当該第２カーブ１１Ｂの行き先が鼓膜３に対向する鼓膜対向部分３Ｘを形成している。
【００１５】
従って耳孔１０に耳式体温計のプローブを挿入する際に、外耳道５が中間の部位５Ｂにおいて第１カーブ１１Ａに続いて第２カーブ１１Ｂによって折れ曲がっているために、当該プローブの挿入の仕方によってはプローブの先端面が鼓膜３に正対できなくなる可能性がある。
【００１６】
しかも外耳道５内のプローブの挿入状態は外から観察できないために、位置の修正が難しく、プローブの先端面が鼓膜３に対して適正に正対できない状態においては、鼓膜３の温度、従って体温の測定精度が低下することを避け得ない。
【００１７】
このような外耳道５の構造に対して、プローブを耳孔１０から挿して行く際にプローブの先端面と外耳道５ないし鼓膜３の間の距離は、当該先端面が外耳道５の外側の部位５Ｃから中間の部位５Ｂの第１カーブ１１Ａを通って第２カーブ１１Ｂに至るまでの間は、外耳道５の内面に接触しているか又は離れていても極く近い。
【００１８】
これに対してプローブの先端面が第２カーブ１１Ｂから奥に突出すると、当該先端面が鼓膜３と対向する状態になるから、プローブの外耳道５に対する挿入状態を調整すれば、当該先端面を鼓膜３と正対させることができる。
【００１９】
そこで、本発明においては、プローブの先端面から距離測定光を投射してその外耳道５ないし鼓膜３からの反射光を受光することにより、当該先端面と外耳道５ないし鼓膜３との間の距離を測定し、その測定結果が所定のしきい値（第２カーブ１１Ｂから鼓膜３までの間の距離に相当し、小児で１０〔ｍｍ〕から成人で２０〔ｍｍ〕程度）を超えたとき、プローブの先端面が鼓膜３に正対したとして、受光した赤外線による検温処理に入るようにする。
【００２０】
（２）第１の実施の形態
図４において、耳式体温計２１は筐体２６を有し、ユーザは当該筐体２６から突出するプローブ２７を、体温を測定される被験者２８の耳孔１０に挿入する。
【００２１】
この実施の形態の耳式体温計２１は、耳孔１０に挿入したプローブ２７の先端面２７Ａから外耳道５ないし鼓膜３に向けて、距離測定部３０において発生した距離測定光Ｌ１（赤色又は緑色レーザ光でなる）を放出した後、その外耳道５ないし鼓膜３からの距離測定反射光Ｌ２が距離測定部３０に戻るまでの時間に基づいて、先端面２７Ａと外耳道５ないし鼓膜３との間の距離を測定する。
【００２２】
筐体２６には、図５に示す検温情報処理部２９が設けられ、その距離測定部３０から発生される距離測定光Ｌ１を、例えば光ファイバでなる案内ライン３５を介してプローブ２７の先端面２７Ａから、耳孔１０内の外耳道５ないし鼓膜３に投射する。
【００２３】
この距離測定光Ｌ１が外耳道５ないし鼓膜３によって反射されてプローブ２７の先端面２７Ａに戻って来た距離測定用反射光Ｌ２は案内ライン３５を介して距離測定部３０に取り込まれる。
【００２４】
検温情報処理部２９は赤外線検温部４０を有し、外耳道５ないし鼓膜３からプローブ２７の先端面２７Ａに到達した赤外線を光ファイバでなる赤外線導入ライン４１を介して赤外線検温部４０に取りこむ。
【００２５】
検温情報処理部２９はマイクロコンピュータ構成の中央処理ユニット（ＣＰＵ）４５を有し、距離測定部３０及び赤外線検温部４０に対する検温情報を、ＲＯＭ構成のプログラム記憶部４６のプログラムをＲＡＭ構成の動作メモリ４７を利用して実行することにより、図６に示す検温情報処理手順ＲＴ１を実行し、当該検温情報処理の結果得られた検温情報を検温情報メモリ４８に蓄積するようになされている。
【００２６】
ＣＰＵ４５は、検温情報処理手順ＲＴ１に入ると、まずステップＳＰ１においてユーザが筐体２６のパネル部に設けられている操作入力部５０の電源オンスイッチ５０Ａを操作するのを待ち受ける。
【００２７】
このステップＳＰ１において肯定結果が得られると、ＣＰＵ４５はステップＳＰ２に移って距離測定部３０をオン動作させる。
【００２８】
このとき距離測定部３０は可視光である赤色又は緑色レーザ光で構成された距離測定光Ｌ１をプローブ２７の先端面２７Ａから放出するので、ユーザはステップＳＰ３においてこれを視認確認でき、ステップＳＰ４においてプローブ２７を耳孔１０に挿入操作する。
【００２９】
このときＣＰＵ４５は、ステップＳＰ５において距離測定部３０において距離測定反射光Ｌ２を用いて距離検出処理をした後、ステップＳＰ６においてステップＳＰ５の検出距離が所定のしきい値以上であるか否かの判断する。
【００３０】
この実施の形態の場合当該しきい値は２０〔ｍｍ〕に設定されており、ステップＳＰ６において肯定結果が得られたとき、プローブ２７の先端面２７Ａが外耳道５内の第２カーブ１１Ｂより内側に突出する状態になっているため、当該先端面２７Ａから鼓膜３までの距離がしきい値、すなわち２０〔ｍｍ〕以上になっていることを表している。
【００３１】
これに対して、ステップＳＰ６において否定結果が得られると、プローブ２７の先端面２７Ａが外耳道５の第２カーブ１１Ｂの外側にあるために、距離測定光Ｌ１が第２カーブ１１Ｂから外方の外耳道５の壁面に投射するために、検出距離がしきい値、すなわち２０〔ｍｍ〕以下になる状態にあることを意味している。
【００３２】
かくしてＣＰＵ４５は、ステップＳＰ６において否定結果が得られたとき、プローブ２７の先端面２７Ａが鼓膜３に正対していないと判断して、ステップＳＰ７において筐体２６のパネル部に設けられた最適条件成立通知部５１に対してプローブ２７の外耳道５への挿入状態が最適条件ではないことを通知する。
【００３３】
この実施の形態の場合、最適条件成立通知部５１は不適合のとき低い周波数のブザー音を放音するのに対して、適合したときは高い周波数のブザー音を放音する。
【００３４】
このときＣＰＵ４５は、ステップＳＰ８において、ユーザが不適合の通知に応じてプローブ２７の外耳道５への挿入位置を調整操作するのを待って（ユーザはプローブ２７の挿入深さ及び挿入角度を適当に動かす）上述のステップＳＰ５に戻って再度距離測定処理を行う。
【００３５】
かくしてＣＰＵ４５は、ステップＳＰ５−ＳＰ６−ＳＰ７−ＳＰ８−ＳＰ５のループにおいて、ユーザが外耳道５に対してプローブ２７を適正な挿入状態にするまで、修正動作を繰り返させる。
【００３６】
かかる修正操作をしている間に、プローブ２７の先端面２７Ａが第２カーブ１１Ｂより内側に突出した適正な状態になると、ＣＰＵ４５は、ステップＳＰ６において肯定結果を得ることによりステップＳＰ９に移って最適条件成立通知部５１に対して最適条件が成立したことを通知する。
【００３７】
このときユーザは、外耳道に対するプローブ２７の挿入位置が適正になったために、プローブ２７の先端面２７Ａが鼓膜に正対した状態になったことを知ることができ、ＣＰＵ４５は、次のステップＳＰ１０においてユーザが筐体２６のパネル面に設けられた検温スイッチ５２をオン操作するのを待つ。
【００３８】
この検温スイッチ５２のオン操作があると、ＣＰＵ４５は、次のステップＳＰ１１に移って赤外線検温部４０によって赤外線検温処理を実行する。
【００３９】
このときプローブ２７の先端面２７Ａから取り込まれる赤外線は、先端面２７Ａが鼓膜３に正対していることにより、鼓膜３の温度を表している、ＣＰＵ４５は当該検出結果を検温情報メモリ４８に蓄積する。
【００４０】
当該赤外線検温処理は、安全のため指定回数だけ繰り返すことを予定されており、ＣＰＵ４５は、次のステップＳＰ１２において当該指定回数だけ検温情報メモリ４８に結果情報を蓄積したか否かを判断し、否定結果が得られたとき上述のステップＳＰ１１に戻って赤外線検温処理を繰り返す。
【００４１】
かくしてＣＰＵて４５は、ステップＳＰ１１−ＳＰ１２−ＳＰ１１の処理を繰り返すことにより、プローブ２７を外耳道に適正に挿入した状態において被験者２８が動くことにより赤外線検温結果が変動した場合にも、その変動情報を含めて検温情報メモリ４８に蓄積することができる。
【００４２】
やがてステップＳＰ１２において肯定結果が得られると、このことはプローブ２７の先端面２７Ａを鼓膜に正対された状態における検温処理を終了したことを意味し、このときＣＰＵ４５はステップＳＰ１３に移って距離測定部３０及び検温スイッチ５２をオフ動作させた後、ステップＳＰ１４において検温情報メモリ４８に蓄積された検温情報に基づいて検温結果を検温結果表示部５３に測定体温として表示することによりユーザに知らせる。
【００４３】
この実施の形態の場合、ＣＰＵ４５は検温情報メモリ４８に蓄積された検温結果のうち、最も高い温度を表すものを抽出してこれを測定体温とする。
【００４４】
従ってユーザは、検温結果表示部５３の表示を読み取ることにより測定体温が何度であるかを確認できるので、ＣＰＵ４５は、ステップＳＰ１５において操作入力部５０の電源オフスイッチ５０Ｂを操作させることにより、検温情報処理部２９を全体として休止状態に戻す。
【００４５】
かくしてＣＰＵ４５は、ステップＳＰ１６において当該検温情報処理手順ＲＴ１の処理を終了する。
【００４６】
以上の構成によれば、検温情報処理部２９は、距離測定部３０の距離測定結果に基づいて、プローブ２７の先端面２７Ａが外耳道５の第２カーブ１１Ｂより内側に突出した状態になったことを確認した後、赤外線検温部４０による検温結果を得るようにしたことにより、鼓膜３の温度を人体１の深部２の温度を表す測定体温として高い精度で測定することができる。
【００４７】
かくするにつき、プローブ２７を外耳道５に適正に挿入するまで、挿入操作をし直すだけで自動的に測温処理することができることにより、簡便に取り扱うことができる耳式体温計２１を実現し得る。
【００４８】
（３）第２の実施の形態
図７は第２の実施の形態の検温情報処理部２９Ｘを示すもので、図５との対応部分に同一符号を付して示すように、ユーザがプローブ２７の挿入位置を所定回数調整し直すごとに、当該所定回数分の検温情報を検温情報メモリ４８に蓄積し、その蓄積された検温情報に基づいて検温出力演算部５５において測定体温を演算するようになされている。
【００４９】
この実施の形態の場合の検温情報処理部２９Ｘは、図８の検温情報処理手順ＲＴ２に従って、まず最初のステップＳＰ２１においてユーザが操作入力部５０の電源オンスイッチ５０Ａを操作するのを待ち受けた後、ステップＳＰ２２において距離測定部３０をオン動作させることにより、ステップＳＰ２３においてプローブ２７から距離測定光Ｌ１を放射する状態になったことをユーザに確認させた後、ステップＳＰ２４においてプローブ２７を被験者２８の外耳道５に挿入するといった、図６について上述したと同様の初動処理をＣＰＵ４５によって実行する。
【００５０】
しかしながら、図８の場合の検温情報処理手順ＲＴ２においてＣＰＵ４５は、続くステップＳＰ２５において直ぐに検温スイッチ５２をオン操作させることにより、以下の検温処理をする点において、図６の場合とは異なる検温情報処理手順ＲＴ２を実行する。
【００５１】
すなわち、ＣＰＵ４５は、ステップＳＰ２５においてユーザにより検温スイッチ５２をオン操作させた後、ステップＳＰ２６において距離測定部３０によって距離測定反射光Ｌ２によって距離検出処理を行うと共に、ステップＳＰ２７において検出距離と、これが所定値のしきい値以上か否かの演算をすると共に、ステップＳＰ２８において当該演算結果が最適条件の成立をしたか否かを最適条件成立通知部５１に通知する。
【００５２】
続いてＣＰＵ４５は、ステップＳＰ２９に移って赤外線検温部４０によって赤外線検温処理をした後、ステップＳＰ３０において当該赤外線検温結果をステップＳＰ２７において求めた検出距離と対応させて検温情報メモリ４８に蓄積する。
【００５３】
続いてＣＰＵ４５は、ステップＳＰ３１に移って予め指定された所定回数だけ検温処理をしたか否かの判断をし、否定結果が得られたときステップＳＰ３２に移ってプローブ２７の外耳道５に対する挿入位置を調整し直すような処理をユーザに行わさせる。
【００５４】
この処理は、上述したステップＳＰ２８においてユーザが現在のプローブの挿入状態が最適か否かを最適条件成立通知部５１によって通知されることにより、最適条件が不成立な場合も、成立の場合も、当該通知に基づいてユーザがプローブ２７の挿入位置の調整のし直しをする。
【００５５】
このときＣＰＵ４５は、上述のステップＳＰ２６に戻って当該調整し直したプローブ２７の挿入位置について距離検出部３０の距離検出処理を繰り返す。
【００５６】
かくしてＣＰＵ４５は、ステップＳＰ２６−ＳＰ２７−ＳＰ２８−ＳＰ２９−ＳＰ３０−ＳＰ３１−ＳＰ３２−ＳＰ２６の処理を繰り返すことにより、挿入位置を調整し直したプローブ２７の挿入状態について、距離測定反射光Ｌ２に基づいて得た最適条件の成立又は不成立の測定結果と、これに対応して外耳道５ないし鼓膜３から赤外線検出部４０が受光した赤外線Ｌ３についての赤外線検温結果を、検温情報メモリ４８に繰り返す蓄積する。
【００５７】
やがてステップＳＰ３１において肯定結果から得られると、このことは所定回数の検温処理が終了したことを意味し、このときＣＰＵ４５はステップＳＰ３３において距離測定部３０及び検温スイッチ５２を自動的にオフ動作した後、ステップＳＰ３４において検温出力演算部５５を用いて、検出距離が所定のしきい値以上の検出結果を、検温情報メモリ４８から読み取って、その最高値を測定体温として検温結果表示部５３に表示する。
【００５８】
かくして検温情報処理部２９のＣＰＵ４５は、検温情報処理手順ＲＴ２における検温情報処理を全て実行したことになり、ステップＳＰ３５においてユーザが操作入力部５０の電源オフスイッチ５０Ｂを操作するのを待ち受けて、ステップＳＰ３６において当該検温情報処理手順ＲＴ２を終了する。
【００５９】
以上の構成によれば、ユーザはプローブ２７を外耳道５に挿入した後、最適条件成立通知部５１において通知が行われたことを確認するごとに、プローブ２７の外耳道に対する装着状態を所定回数だけ挿入位置の調整し直しだけの簡単な操作によって、全ての挿入調整位置について最も鼓膜３の温度に近い温度を測定体温として検温結果表示部５３に表示させることができる。
【００６０】
因に、距離測定部３０がプローブ２７の先端面２７Ａが鼓膜に正対した状態にあることを確認していると同時に、当該正対している検出結果のうちから検温結果が最も高い値を測定体温として測定しているので、検温結果表示部５３において表示された体温の精度は、人体１の深部２の温度に対して高い精度をもっている。
【００６１】
（４）他の実施の形態
（４−１）上述の実施の形態においては、検温結果表示部５３に表示する測定体温として、検温情報メモリ４８に蓄積された検温情報のうち、最も高い値を選択するようにしたが、これに限らず、例えば平均値や、検出距離で重み付けて求めるなど、他の条件を加えて求めるようにしても良い。
【００６２】
（４−２）上述の実施の形態においては、最適条件成立通知部５１のユーザの通知方法として、ブザー音を用いるようにしたが、これに限らず、光や、振動など、要はユーザが監守できるものを用いるようにすれば良い。
【００６３】
（４−３）図８の検温情報処理手順ＲＴ２においては、ステップＳＰ２４においてプローブ２７を外耳道５に挿入操作した後検温スイッチ５２をオン操作させるようにした場合について述べたが、この順序を逆にしても、上述の場合と同様の効果を得ることができる。
【００６４】
（４−４）上述の実施の形態においては、ＣＰＵ４５がステップＳＰ６、又はステップＳＰ２７において検出距離が所定のしきい値以上であるか否かの判断をする際に、所定のしきい値を２０〔ｍｍ〕に設定した場合について述べたが、これに代え１０〔ｍｍ〕以上で３０〔ｍｍ〕までをしきい値として用いるようにしても良い。
【００６５】
因に、外耳道の大きさは、小児から成人に至るまで、体格の違いによって変動するので、これに合わせてしきい値を選定するようにしても良い。
【産業上の利用可能性】
【００６６】
本発明は耳式体温計に利用できる。
【符号の説明】
【００６７】
１……人体、２……深部、３……鼓膜、４……内頚動脈、５……外耳道、６……外頚動脈、７……頭皮、８……耳介、９……耳たぶ、１０……耳孔、１１Ａ、１１Ｂ……第１、第２カーブ、２１……耳式体温計、２６……筐体、２７……プローブ、２７Ａ……先端面、２９……検温情報処理部、３０……距離測定部、４０……赤外線検温部、４８……検温情報メモリ、５０……操作入力部、５０Ａ、５０Ｂ……電源オン、オフスイッチ、５１……最適条件成立通知部、５２……検温スイッチ、５３……検温結果表示部、５５……検温出力演算部。
【図１】
2011072639.tif 000003
【図２】
2011072639.tif 000004
【図３】
2011072639.tif 000005
【図４】
2011072639.tif 000006
【図５】
2011072639.tif 000007
【図６】
2011072639.tif 000008
【図７】
2011072639.tif 000009
【図８】
2011072639.tif 000010